(57)【要約】【課題】  作業者が緊急事態に遭遇するときに既設の運転停止スイッチを操作できず、また、自動停止を可能にする検知手段の作動を期待できなくても、設置型の機械類における運転を遠隔操作で停止可能にする。【解決手段】  スイッチ操作時に電波を発信して設置型の機械類における運転を停止させるスイッチＳを作業者１が羽織るジャケット２における、あるいは、作業者１が被る帽子３におけるそれぞれ作業者１の手が届く部位に保持させると共に、このスイッチＳを作業者１が手でスイッチ操作する。【選択図】        図１
2006046563.tif 000002
【特許請求の範囲】
【請求項１】
スイッチ操作時に電波を発信して設置型の機械類における運転を停止させるスイッチを作業者が羽織るジャケットにおける、あるいは、作業者が被る帽子におけるそれぞれ作業者の手が届く部位に保持させると共に、このスイッチを作業者が手でスイッチ操作してなることを特徴とする運転停止方法
【請求項２】
スイッチが作業者の羽織る被覆における袖部、あるいは、前身頃部に保持されてなる請求項１に記載の運転停止方法
【請求項３】
スイッチが作業者の被る帽子におけるキャップ部、あるいは、鍔部に保持されてなる請求項１に記載の運転停止方法
【請求項４】
スイッチ操作時に電波を発信して設置型の機械類における運転を停止させるスイッチを作業者が穿くズボンに保持させると共に、このスイッチが作業者の体勢によってスイッチ操作されることを特徴とする運転停止方法
【請求項５】
スイッチが作業者の穿くズボンにおける膝部、あるいは、腰部に保持されてなる請求項４に記載の運転停止方法
【発明の詳細な説明】
【技術分野】
【０００１】
この発明は、運転停止方法に関し、特に、設置型の機械類における運転を遠隔操作で停止させる運転停止方法に関する。
【背景技術】
【０００２】
設置型の機械類、たとえば、回転軸が水平方向に並列していわゆる巻き込み方向に回転する一対のロールで柔らかい固まり状のゴムを圧延してゴムシートを形成するゴムロール機における運転停止方法については、従来から種々の提案がある。
【０００３】
その中で、たとえば、特許文献１には、ゴムロール機に接近して作業に従事する作業者の体の一部たる手が回転する一対のロール上に設定されるいわゆる危険領域に侵入すると、これを検知手段が検知して、ゴムロール機の運転、すなわち、ロールの回転を停止させるとする提案が開示されている。
【０００４】
このとき、この提案にあって、作業者は、ゴムの色に対して区別をつけ易い色の手袋を装着する一方で、検知手段は、一対のロールの上方に配在されて上記の手袋の色を検知する色差チェック型光電管を有してなるとしている。
【０００５】
それゆえ、この特許文献１に開示の運転停止方法にあっては、作業者の手が、すなわち、作業者が装着した手袋が上記した危険領域に侵入したときに、色差チェック型光電管が手袋の色を検知し、また、制御部を介するなどして、一対のロールを回転させるモータなどの駆動源の駆動を停止し、作業者に危険が及ばないようにすることが可能になる。
【０００６】
ちなみに、ゴムロール機における緊急時の運転停止については、旧来、作業者がゴムロール機に装備された運転停止スイッチを押すことによるとしており、このとき、運転停止スイッチは、ゴムロール機において作業者の頭上付近や足元、あるいは、作業者の手が届くであろう左右に配在されているとするが、この運転停止スイッチを作業者が押せないときに、この特許文献１に開示の運転停止方法が効果的となる。
【特許文献１】特開昭４８−４６９５６号公報（特許請求の範囲，明細書第２頁左欄第５行から第１２行，第１図）
【発明の開示】
【発明が解決しようとする課題】
【０００７】
しかしながら、上記した特許文献１に開示の運転停止方法にあっては、作業者の体勢如何では、検知手段の作動によるゴムロール機の自動停止を実現し得なくなると指摘される可能性がある。
【０００８】
すなわち、ゴムロール機に接近して作業に従事する作業者が外的因子で、あるいは、内的因子で手袋を装着した手以外となる体の一部を上記した危険領域に侵入させる緊急事態に遭遇する場合には、検知手段たる色差チェック型光電管が手袋の色を検知し得ないから、この検知手段の作動によるゴムロール機の自動停止を実現できないことになる。
【０００９】
のみならず、検知手段自体が故障している場合はともかくとして、設置されている検知手段たる色差チェック型光電管が検知し得ない色の手袋を作業者が誤認して装着したまま作業に従事したり、あるいは、ゴムの色の変更に基づいて手袋の色が変更されているにも拘らず色差チェック型光電管が変更されていなかったりする場合にも、この検知手段の作動によるゴムロール機の自動停止を実現できないことになる。
【００１０】
この発明は、このような現状を鑑みて創案されたものであって、その目的とするところは、作業者が緊急事態に遭遇するときに既設の運転停止スイッチを操作できず、また、自動停止を可能にする検知手段の作動を期待できなくても、遠隔操作で設置型の機械類における運転停止を可能にして、その汎用性の向上を期待するのに最適となる運転停止方法を提供することである。
【課題を解決するための手段】
【００１１】
上記した目的を達成するために、この発明による運転停止方法の構成を、請求項１では、スイッチ操作時に電波を発信して設置型の機械類における運転を停止させるスイッチを作業者が羽織るジャケットにおける、あるいは、作業者が被る帽子におけるそれぞれ作業者の手が届く部位に保持させると共に、このスイッチを作業者が手でスイッチ操作してなるとする。
【００１２】
そして、請求項４では、上記のスイッチを作業者が穿くズボンに保持させると共に、このスイッチが作業者の体勢によってスイッチ操作されるとする。
【発明の効果】
【００１３】
それゆえ、請求項１の発明にあっては、物が作業者に衝突したり、あるいは、作業者が物に衝突したりするなどの外的因子で設置型の機械類に体の一部を引き込まれるような事態になるとき、自らの手でジャケットにあるいは帽子に保持されたスイッチを操作することで、上記の機械類の運転停止を可能にし得ることになる。
【００１４】
そして、請求項４の発明にあっては、作業者が体調を悪くするなどの内的因子で体勢を崩して設置型の機械類に体の一部を引き込まれるような事態になるとき、作業者が穿くズボンの膝部や腰部に保持されたスイッチが床を叩くなどしてスイッチが操作されることで、上記の機械類の運転停止を可能にし得ることになる。
【００１５】
その結果、この発明の運転停止方法によれば、作業者が緊急事態に遭遇するときに既設の運転停止スイッチを操作できず、また、自動停止を可能にする検知手段の作動を期待できなくても、遠隔操作で設置型の機械類における運転を停止可能にして、その汎用性の向上を期待するのに最適となる。
【発明を実施するための最良の形態】
【００１６】
以下に、図示した実施形態に基づいて、この発明を説明するが、この発明による運転停止方法は、図１に示すように、作業者１が設置型の機械類たるゴムロール機に接近して作業に従事する際に具現化されるとしている。
【００１７】
すなわち、まず、ゴムロール機は、回転軸（図示せず）が水平方向に並列する一対のロールＲにおける頂部Ｒ１間とされて断面がほぼ漏斗状になる投入部Ａに上方から投入されるゴムＧをゴムシートに圧延してロールＲの下方に送り出すとしている。
【００１８】
このとき、ゴムロール機は、図示しないモータなどの駆動源の駆動で一対のロールＲを同期回転させるとしており、この一対のロールＲの回転方向は、基本的には、図１中に矢印で示すいわゆる巻き込み方向とされるとし、さらには、要するときの逆方向とされている。
【００１９】
また、このゴムロール機にあって、一対のロールＲは、両者の間に適宜の隙間（符示せず）を有しながら互いに遠近し得る、あるいは、一方のロールＲが他方のロールＲに対して遠近し得るとしており、上記の隙間の広狭制御によって言わば下方に送り出されるゴムシートの厚さを選択し得るとしている。
【００２０】
ちなみに、この種のゴムロール機にあっては、図示しないが、緊急時におけるロールＲの回転停止を可能にする運転停止スイッチが複数箇所に、すなわち、作業者１の足元や作業者１の頭上付近、さらには、作業者１の手が届く左右に設けられているとするが、この発明の運転停止方法は、上記の運転停止スイッチを作業者１が操作し得なくなるような事態になっても、ゴムロール機の運転停止を可能にするために提案されるものである。
【００２１】
ちなみに、ゴムロール機にあっては、一対のロールＲ間に形成される前記した投入部Ａを含むいわゆる危険領域に作業者１が装着する手袋が臨在するとき、たとえば、前記した特許文献１に開示されているように、色差チェック型光電管を有する検知手段がこれを検知してロールＲの自動的な回転停止を実現するとしている。
【００２２】
つぎに、上記のように構成されているゴムロール機に接近して作業に従事する作業者１は、スイッチ操作時に電波を発信してゴムロール機における運転を停止させるスイッチＳを保持するとしている。
【００２３】
このとき、作業者１において、スイッチＳを保持させる位置についてであるが、この発明が意図するところからすれば、基本的には、ゴムロール機に接近して作業に従事している作業者１が保持する限りにおいて、作業者１の掌中でなく、また、手袋以外であれば何処でも良い。
【００２４】
と言うのも、図示しないが、作業者１は、手に手袋をして作業に従事するから、手袋越しであるにしても、作業者１の掌中にスイッチＳを把持させる設定は現実的でなく、また、手袋にいわゆる余計な物を付けないとの前提からすれば、手袋に保持させるとの設定も好ましくないことによる。
【００２５】
とは言え、具体的には、作業者１が羽織るジャケット２における図示しないポケット内やジャケット２の内側など外部からスイッチＳが保持されていることを簡単には視認できない場所を含まないことはもちろんである。
【００２６】
スイッチＳをポケット内やジャケット２の内側など外部から簡単に視認できない場所に保持するとの設定は、第三者をして実践するいわゆる安全管理の観点からすれば、好ましくない設定と言い得るであろうし、また、いわゆるいざと言うときの操作性に欠けることからしても好ましくないと言い得るであろう。
【００２７】
そこで、多くの場合にそうされるであろうが、図２に示すように、作業者１が羽織るジャケット２において、作業者１の手が簡単に届く部位にスイッチＳを保持させるとするのが好ましい設定であろう。
【００２８】
すなわち、作業者１が羽織るジャケット２における、たとえば、袖部２ａに保持される設定の場合には、言わば反対の手でスイッチＳを操作することが可能になるし、また、言わば体の範囲内での操作になるから、操作に確実性を期待できる点で有利となる。
【００２９】
そして、ジャケット２にスイッチＳを保持させる場合に、上記した袖部２ａに代えて、前身頃部２ｂにスイッチＳを保持させるとしても良く、この場合には、操作性において袖部２ａに劣らない確実性が得られるが、袖部２ａに比較して、他部への干渉の可能性が低くなる点で有利になると言い得る。
【００３０】
以上からすれば、ジャケット２にスイッチＳを保持させるについて、上記した袖部２ａでもなく、また、前身頃部２ｂでもない部位、すなわち、ジャケット２の肩部２ｃに保持させるとしても良く、この場合にも、袖部２ａに劣らない操作性が得られると共に、袖部２ａに比較して、他部への干渉の可能性も低くなると言い得るであろう。
【００３１】
つぎに、上記したジャケット２に代えて、帽子３にスイッチＳを保持させるとしても良く、このとき、スイッチＳを作業者１の頭部を覆う本体部たるキャップ部３ａに保持させるとしても良く、また、鍔部３ｂに保持されるとしても良い。
【００３２】
このスイッチＳを帽子３に保持させるとの設定は、人の防護本能による挙動を考慮すると、スイッチＳに対する操作の確実性を期待する上からは好ましいと言い得るであろう。
【００３３】
上記したスイッチＳの保持態様、すなわち、スイッチＳをジャケット２あるいは帽子３に保持させる態様は、物が作業者１に衝突する、あるいは、作業者１が物に衝突するなどの外的因子で作業者１に危険が及ぶときに好ましい対応ができるであろうことを予測させるが、作業者１が体調を悪くするなどの内的因子で体勢を崩してゴムロール機に体の一部を引き込まれるような事態になるときは、作業者１の意思で作業者１が自らスイッチ操作できないであろうから、別の部位にもスイッチＳが保持されている方が好ましいと言い得る。
【００３４】
そこで、作業者１が穿くズボン４の、たとえば、膝部４ａや腰部４ｂにスイッチＳを保持させる設定とし（図２参照）、作業者１が床に倒れるなどしたときに、作業者１の体勢によってスイッチＳが床を叩くなどしてスイッチ操作されることを期待する方策が選択されるとする。
【００３５】
ただ、このスイッチＳを作業者１が穿くズボン４に保持させる設定は、スイッチ操作を偶然性に賭けることになるから、スイッチＳが前記したジャケット２あるいは帽子３に保持されていることを前提にして、選択される方が好ましいと言い得るであろう。
【００３６】
以上のように、この発明では、外的因子で、あるいは、内的因子で作業者１がゴムロール機に体の一部を引き込まれるような事態になるとき、ジャケット２や帽子３に保持されたスイッチＳを自らの手でスイッチ操作することで、あるいは、作業者１が穿くズボン４の膝部４ａや腰部４ｂに保持されたスイッチＳが床を叩くなどしてスイッチ操作されることで、上記のゴムロール機の運転停止を可能にし得ることになる。
【００３７】
それゆえ、この発明によれば、作業者１が緊急事態に遭遇するときにゴムロール機に既設の運転停止スイッチを操作できず、また、ゴムロール機における運転停止を可能にする検知手段の作動を期待できなくても、遠隔操作でゴムロール機における運転停止を実現し得ることになる。
【００３８】
以上のようにして、この発明が具現化されるが、さらには、まず、スイッチＳは、図示しないが、いわゆる平坦部を有していて、この平坦部を押圧したり、衝撃を加えたりすることで、スイッチ作動するとし、そのため電源たるバッテリを有していて、このバッテリの電力で電波を発信できるとしている。
【００３９】
それゆえ、このスイッチＳにあっては、作業時間以外のいわゆる不使用時に、充電するなりのいわゆるメンテナンスをする必要があり、多くの場合に、所定の格納位置に格納することで、バッテリが充電される方策が選択されるであろう。
【００４０】
つぎに、上記のスイッチＳを操作してゴムロール機の運転を停止するについては、任意の方策を選択できるが、多くの場合に、スイッチＳから発信される信号をアンテナ経由でゴムロール機に近接される制御部に入力し、この制御部が所定の処理をして出力する信号でゴムロール機、すなわち、一対のロールを回動させる駆動源の駆動を停止する方策が選択されるであろう。
【００４１】
前記したところでは、スイッチＳは、作業者１の手および手袋を除く部位に保持されるのを原則とし、また、具体的には、スイッチＳがジャケット２，帽子３およびズボン４に保持されるとしたが、この発明が意図するところからすれば、図示しないが、スイッチＳが靴に保持される設定をも選択し得ることになる。
【００４２】
ただ、前記したように、ゴムロール機にあっては、作業者１の足元に緊急時の運転停止を可能にする運転停止スイッチが装備されていて、作業者１は、この足元の運転停止スイッチを靴越しに蹴るであろうから、この場合の靴にこの発明を具現化するためのスイッチを保持させる必要性は低いと言い得るであろう。
【００４３】
また、スイッチＳの構造として、前記したところではいわゆる押圧型あるいは衝撃型に形成されてなるとしたが、この発明が意図するところからすれば、作業者が作業中に有るまじき体勢になるとき、すなわち、たとえば、作業者が倒れるなどして、スイッチＳが凡そ使用態勢や保管態勢以外の状態になるときに作動する言うなれば傾倒型に形成されてなるとしても良い。
【００４４】
ただ、実際を鑑みれば、この傾倒型のスイッチＳについては、これが単独で利用されるのではなく、上記した押圧型あるいは衝撃型のスイッチＳと併用されるであろう。
【００４５】
そして、前記したところでは、この発明が具現化されるのが設置型の機械類たるゴムロール機における場合とされているが、この発明が意図するところからすれば、たとえば、プレス機など、凡そ設置型の機械類である限りには、この発明の具現化が可能になるのはもちろんである。
【図面の簡単な説明】
【００４６】
【図１】この発明による運転停止方法を具現化する作業者がゴムロール機に接近した作業状態を概念的に示す立面図である。
【図２】立ち姿勢の作業者がセンサを保持する状態を示す図である。
【符号の説明】
【００４７】
１  作業者
２  ジャケット
２ａ  袖部
２ｂ  前身頃部
３  帽子
３ａ  キャップ部
３ｂ  鍔部
４  ズボン
４ａ  膝部
４ｂ  腰部
Ａ  投入部
Ｇ  ゴム
Ｓ  スイッチ
【図１】
2006046563.tif 000003
【図２】
2006046563.tif 000004